(57)【要約】【課題】高さが高い物品を好適に収納しつつ、内引出の収納力を高めることが可能な収納庫を提供することを目的とする。【解決手段】本発明にかかる収納庫（コンロキャビネット１２０）の構成は、被収納物を収納可能な引出１２２をスライド自在に収容可能な収納庫であって、引出１２２の内部に収容され引出とは独立してスライド可能であり引出１２２と同じ幅を有する内引出１５０を備え、内引出１５０は、幅方向において、所定の深さを有する第１収納部１５６と、第１収納部１５６よりも深さが浅い第２収納部１５８とを有し、第２収納部１５８の底面１５８ａは、第１収納部１５６の底面１５６ａよりも上方に位置することを特徴とする。【選択図】図２
2019195383.tif 000002
【特許請求の範囲】
【請求項１】
被収納物を収納可能な引出をスライド自在に収容可能な収納庫であって、
前記引出の内部に収容され該引出とは独立してスライド可能であり前記引出と同じ幅を有する内引出を備え、
前記内引出は、幅方向において、所定の深さを有する第１収納部と、該第１収納部よりも深さが浅い第２収納部とを有し、
前記第２収納部の底面は、前記第１収納部の底面よりも上方に位置することを特徴とする収納庫。
【発明の詳細な説明】
【技術分野】
【０００１】
本発明は、被収納物を収納可能な引出をスライド自在に収容可能な収納庫に関する。
【背景技術】
【０００２】
キッチンで使用される調理器具には、ボールやざるのように大型のもの、長手の形状を有する杓子類（レードル）、長箸、ラップ、包丁、調味料などの小物類、乾物や缶詰などの食料品など、様々なものがある。そこで使い勝手を向上させるために、キッチンに設けられる収納庫には、物品の形状に応じた様々な工夫が成されている。
【０００３】
例えば特許文献１では、キャビネットから出し入れ可能な引出と、引出の内側で独立して出し入れ可能な内引出とを備えた収納庫が提案されている。特許文献１の収納庫では、内引出は、横幅が引出の横幅よりも狭く、左右方向でキャビネットの両横壁のうち一方に寄って配置されている。これにより、キッチンで使用する調理器具のうち、寸胴鍋のように高さが高い物品は内引出の側方の空間に収納し、杓子類やバット等の高さが低い物品は内引出に収納することができる。
【先行技術文献】
【特許文献】
【０００４】
【特許文献１】特開２０１６−１５２８７７号公報
【発明の概要】
【発明が解決しようとする課題】
【０００５】
特許文献１によれば、高さが高い物品を好適に収納しつつ、内引出やその下方の空間を効率的に使用することが可能となる。しかしながら、特許文献１の構成であると、内引出の幅が引出と同じ幅である場合に比して内引出の収納力が低下してしまう。このため、特許文献１の技術には更なる改善の余地がある。
【０００６】
本発明は、このような課題に鑑み、高さが高い物品を好適に収納しつつ、内引出の収納力を高めることが可能な収納庫を提供することを目的としている。
【課題を解決するための手段】
【０００７】
上記課題を解決するために、本発明にかかる収納庫の代表的な構成は、被収納物を収納可能な引出をスライド自在に収容可能な収納庫であって、引出の内部に収容され引出とは独立してスライド可能であり引出と同じ幅を有する内引出を備え、内引出は、幅方向において、所定の深さを有する第１収納部と、第１収納部よりも深さが浅い第２収納部とを有し、第２収納部の底面は、第１収納部の底面よりも上方に位置することを特徴とする。
【０００８】
上記構成では、内引出は、引出と同じ幅を有し、所定の深さを有する第１収納部と、第１収納部よりも深さが浅い第２収納部が幅方向に並んでいる。このように内引出の幅が引出と同じ幅であることにより、内引出の収納力を高めることができる。そして、第２収納部が第１収納部よりも深さが浅く、第２収納部の底面が第１収納部の底面よりも上方に位置することにより、寸胴鍋のように高さの高い物品を第２収納部の下方に収納することができる。したがって、高さが高い物品を好適に収納しつつ、内引出の収納力を高めることが可能となる。
【発明の効果】
【０００９】
本発明によれば、高さが高い物品を好適に収納しつつ、内引出の収納力を高めることが可能な収納庫を提供することができる。
【図面の簡単な説明】
【００１０】
【図１】本実施形態にかかる収納庫を備えるキッチンを示す図である。
【図２】コンロキャビネットの引出を説明する図である。
【図３】内引出の斜視図である。
【図４】引出および内引出の使用態様図である。
【発明を実施するための形態】
【００１１】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１２】
（キッチン）
図１は、本実施形態にかかる収納庫を備えるキッチン１００を示す図である。なお、本実施形態では、キッチン１００に備えられる収納庫（コンロキャビネット１２０）を例示するが、これに限定するものではなく、被収納物（不図示）を収納可能な引出をスライド自在に収容可能な収納庫であれば、キッチン１００に備えられる収納庫以外にも本発明を適用することが可能である。
【００１３】
キッチン１００は１枚の天板１１０（ワークトップ）の下に複数の収納庫（キャビネット）を備えた、いわゆるシステムキッチンである。天板１１０は合成樹脂（人工大理石）やステンレスなどからなり、キッチン１００の全体の上面を覆っている。天板１１０には、組み込み式に取り付けられたコンロ１１２、調理スペース１１４、天板１１０に一体形成されたシンク１１６が設けられる。シンク１１６とコンロ１１２の間に位置する調理スペース１１４は平坦なテーブル面であり、主に調理を行うのに利用される。
【００１４】
天板１１０の下は、コンロ１１２本体が設置されているコンロキャビネット１２０と、調理スペース１１４に対応したベースキャビネット１３０と、シンク１１６が設置されているシンクキャビネット１４０といった各収納庫で構成される。各収納庫は収納スペースとして機能し、収納庫内の空きスペースには、コンロ１１２への配線や、シンク１１６および水栓への給排水管なども収容されている。このように、天板１１０の下では、天板１１０の上のシンク１１６やコンロ１１２といった各構成に対応した収納庫がその高さおよび奥行きを等しくして複数設けられている。
【００１５】
次に、本実施形態の特徴である収納庫について説明する。上記説明したコンロキャビネット１２０、ベースキャビネット１３０、シンクキャビネット１４０のうち、コンロキャビネット１２０を例にとって説明する。図１に示すように、本実施形態の収納庫であるコンロキャビネット１２０は、被収納物（不図示）を収納可能な引出１２２をスライド自在に収容可能である。
【００１６】
（収納庫）
図２は、コンロキャビネット１２０の引出１２２を説明する図である。図３は、内引出１５０の斜視図である。図３（ａ）は、内引出１５０を上方から観察した斜視図であり、図３（ｂ）は、内引出１５０を下方から観察した斜視図である。図４は、引出１２２および内引出１５０の使用態様図である。理解を容易にするために、図２では、図１のコンロキャビネット１２０の一方の側壁を透過表示としている。
【００１７】
図２に示すように、本実施形態のコンロキャビネット１２０は、引出１２２の内部に収容される内引出１５０を備える。内引出１５０は、引出１２２とほぼ同じ幅を有する。図３（ａ）に示すように、内引出１５０の両側壁１５０ａの奥側には、それぞれ奥側ローラ１５２が設けられている。この奥側ローラ１５２が、図２に示すコンロキャビネット１２０の側壁１２０ａに設けられたレール１２４上を走行することにより、内引出１５０がコンロキャビネット１２０に対して移動することが可能となる。
【００１８】
また図３（ｂ）に示すように内引出１５０の両側壁１５０ａの手前側にはそれぞれ手前側ローラ１５４が設けられている。この手前側ローラ１５４が、図２に示す引出１２２のギャラリーパイプ１２６を保護するパイプカバー１２８上を走行することにより、内引出１５０が引出１２２に対して相対的に移動することが可能となる。すなわち本実施形態の内引出１５０は、引出１２２とは独立してスライド可能である。
【００１９】
本実施形態の特徴として、内引出１５０は、幅方向において隣接する第１収納部１５６および第２収納部１５８を有する。第１収納部１５６は、所定の深さを有し、第２収納部１５８は、第１収納部１５６よりも深さが浅くなっている。このとき、第２収納部１５８の底面１５８ａは、第１収納部１５６の底面１５６ａよりも上方に位置する。
【００２０】
上記構成によれば、内引出１５０が引出１２２と同じ幅を有することにより、図４に示すように例えば高さが低い鍋つかみ１０２を第２収納部１５８に収納し、鍋つかみ１０２よりも高さがある鋳物鍋１０４を第１収納部１５６に収納することができる。したがって、高さに応じて様々な物品を内引出１５０に収納することができ、内引出１５０の幅が引出１２２の全幅より狭い場合に比して収納力を高めることが可能となる。
【００２１】
更に、第２収納部１５８の深さが第１収納部１５６よりも浅いことにより寸胴鍋１０６のように高さの高い物品を第２収納部１５８の下方に収納することができる。したがって、本実施形態の収納庫（コンロキャビネット１２０）によれば、寸胴鍋１０６のように高さが高い物品を好適に収納しつつ、内引出１５０の収納力を高めることが可能となる。
【００２２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００２３】
本発明は、被収納物を収納可能な引出をスライド自在に収容可能な収納庫に利用することができる。
【符号の説明】
【００２４】
１００…キッチン、１０２…鍋つかみ、１０４…鋳物鍋、１０６…寸胴鍋、１１０…天板、１１２…コンロ、１１４…調理スペース、１１６…シンク、１２０…コンロキャビネット、１２０ａ…側壁、１２２…引出、１２４…レール、１２６…ギャラリーパイプ、１２８…パイプカバー、１３０…ベースキャビネット、１４０…シンクキャビネット、１５０…内引出、１５０ａ…両側壁、１５２…奥側ローラ、１５４…手前側ローラ、１５６…第１収納部、１５６ａ…底面、１５８…第２収納部、１５８ａ…底面
【図１】
2019195383.tif 000003
【図２】
2019195383.tif 000004
【図３】
2019195383.tif 000005
【図４】
2019195383.tif 000006